(57)【特許請求の範囲】
【請求項１】
複数の発光ダイオードを有する発光体と、前記発光体の前方に設置される有色レンズとを具備する歩行者用交通信号に用いる信号灯用の灯器であって、
前記有色レンズは、中央部が人形の形にくり抜かれ、
前記有色レンズの周辺部を照射する発光ダイオードの発光色のみを前記有色レンズの色とほぼ同色にし、他の発光ダイオードの発光色を白色とすることを特徴とする灯器。
【請求項２】
前記発光体の後方に反射板が設けられ、前記複数の発光ダイオードのうち、いくつかの発光ダイオードが発する光は、前記反射板で反射されて前記有色レンズを透過するものであり、前記有色レンズの周辺部を照射する発光ダイオードが発する光は、前記反射板で反射されて前記有色レンズを透過することを特徴とする請求項１記載の灯器。
【発明の詳細な説明】
【０００１】
【発明の属する技術分野】
本発明は、歩行者用交通信号に用いる信号灯用の発光体及び灯器に関するものである。
【０００２】
【従来の技術】
従来、歩行者用交通信号に用いられる灯器としては、白熱電球タイプのものが使われていた。ところで昨今、発光ダイオードを用いた信号灯器が開発されつつある。このような信号灯器では、発光ダイオードの前方に赤色レンズや青色レンズを設置して信号灯器とする。
【０００３】
【発明が解決しようとする課題】
しかしながら、白色発光ダイオードを用い、その前方に赤色レンズを設置して信号灯器とすると、白色発光ダイオードが点灯しても、赤色レンズの周辺部分が暗くなるという問題点があった。その理由として以下の事柄が挙げられる。
【０００４】
（１）図８（ａ）は可視光線の波長範囲を示し、その範囲はおよそ波長４００ｎｍ〜７８０ｎｍであることが知られている。図８（ｂ）は可視光線に対する人間の目で感知される感度の波長依存性を示す。人間の目は、波長５５５ｎｍ付近の光に対して最も高い感度を有する視感度特性を持ち、波長の短い側並びに長い側では感度が減少していく。つまり、赤色光に対して、人の目は感度が低い。
【０００５】
（２）図９、図１０は各種光源の発光スペクトル特性を示す。従来の交通信号用灯器に用いられてきた白熱電球は波長の長い光成分を多く含み、黄色に近い色として目で感知される。
【０００６】
（３）図９、図１０の白色発光ダイオードの発光スペクトルから分かるように、白色発光ダイオードの発する光の成分には青色部分が多く、波長６００ｎｍ以上の赤色光成分が少ない。
【０００７】
従来の（２）の特性を持つ白熱電球を光源とする灯器に対し、白色発光ダイオードをその灯器に用いると、（１）の人の目の視感度特性と、（３）の白色発光ダイオードの発光スペクトルとの相乗効果に起因して、前記の赤色レンズの周辺部分が暗く見えると考えられる。
【０００８】
本発明は、このような問題に鑑みてなされたもので、その目的とするところは、
レンズ全面が明るく点灯する信号灯用の発光体及び灯器を提供するものである。
【０００９】
【課題を解決するための手段】
前述した目的を達成するために、本発明は複数の発光ダイオードを有する発光体と、前記発光体の前方に設置される有色レンズとを具備する歩行者用交通信号に用いる信号灯用の灯器であって、前記有色レンズは、中央部が人形の形にくり抜かれ、前記有色レンズの周辺部を照射する発光ダイオードの発光色のみを前記有色レンズの色とほぼ同色にし、他の発光ダイオードの発光色を白色とすることを特徴とする灯器である。本発明では、有色レンズの周辺部を照射する発光ダイオードの発光色のみを有色レンズの色とほぼ同色にしたので、有色レンズの周辺部も明るく点灯したように見える。
【００１１】
【発明の実施の形態】
以下、図面に基づいて、本発明の実施の形態を詳細に説明する。
図１は、本発明の一実施の形態に係る発光体１の斜視図、図２は発光体１の縦断面図である。図１、図２に示されるように円柱状の支柱３の上部に円盤状のアルミプレート２５、絶縁ラバー６、第１基板５が設けられる。
【００１２】
アルミプレート２５は、放熱板として機能する。支柱３はアルミニウム等からなる。尚、放熱板としては、アルミニウム以外の材料を用いてもよい。
【００１３】
第１基板５には支柱３の軸方向に向けて複数の第１発光ダイオード群１５が設けられる。
【００１４】
支柱３には、その中央部に更に円盤状の、第２基板７、第３基板９、第４基板１１、第５基板１３、受け部２８が順次設けられる。
【００１５】
第２基板７には側面に向けて複数の第２発光ダイオード群１７が設けられる。第３基板９には、第３発光ダイオード群１９が設けられ、第４基板１１には第４発光ダイオード群２１が設けられ、第５基板１３には第５発光ダイオード群２３が設けられる。第２発光ダイオード群１７は赤色で点灯し、それ以外の第１発光ダイオード群１５、第３発光ダイオード群１９、第４発光ダイオード群２１、第５発光ダイオード群２３は白色で点灯する。受け部２８には電気回路板２９が設けられる。支柱３の下端部にはプラグ３１が形成される。
【００１６】
円盤状の第２基板７、第３基板９、第４基板１１、第５基板１３の径は順次小さくなり、第３発光ダイオード群１９、第４発光ダイオード群２１、第５発光ダイオード群２３の向きは、図２において徐々に下側に向く。
【００１７】
電気回路板２９は、プラグ３１から供給された交流電力を直流に変換し、発光ダイオードの作動電圧になるよう調節し、第１基板５、第２基板７、第３基板９、
第４基板１１、第５基板１３に印加する。プラグ３１は、従来の信号灯の白熱電球と互換性のある形状である。
【００１８】
図３はケーシング４３に発光体１、レンズ４１を取り付ける説明図である。図４はレンズ４１の正面図である。ケーシング４３の内側には、反射板４５を設け、ケーシング４３内部中央には発光体１を装着し、ケーシング４３の前面開口部にレンズ４１を設ける。
【００１９】
レンズ４１は、第１レンズ４１ａ上に第２レンズ４１ｂが重ねられたもので、第１レンズ４１ａは、周辺部４２ａの中央部が人形４２ｂの形にくり抜かれる。周辺部４２ａの素材はアクリル系樹脂やポリカーボネート等の赤色プラスティックであり、第２レンズ４１ｂはアクリル系樹脂やポリカーボネート等の透明プラスティックからなる。
【００２０】
発光体１下部のプラグ３１は、ケーシング４３中央の開口部４４を貫通しており、図示しない交流電源用ソケットに装着され使用される。
【００２１】
図５に示されるように、第１発光ダイオード群１５の発射光は前方に放射される。第２発光ダイオード群１７等からの発射光は反射板４５により反射され、第１発光ダイオード群１５の光束と平行に前方へ放射される。
【００２２】
第２基板７、第３基板９、第４基板１１、第５基板１３の径が、徐々に小さくされ、また第２発光ダイオード群１７、第３発光ダイオード群１９、第４発光ダイオード群２１、第５発光ダイオード群２３の取り付け角度が徐々に変えられ、各発光ダイオード群１７、１９、２１、２３で発せられる光が前方に向かうようになっているので、反射板４５全面を有効に利用することができ、その結果前面の輝度の偏りを少なくすることができる。
【００２３】
そして、第１発光ダイオード群１５、第３発光ダイオード群１９、第４発光ダイオード群２１、第５発光ダイオード群２３は白色の光を発し、この光が人形４２ｂとレンズ４１ａ、４１ｂを透過するので、外部から見ると人形４２ｂは白色に、周辺部４２ａは赤く光ったように見える。また、第２発光ダイオード群１７からの発射光はレンズ４１の周辺部を透過するが、この光は赤色であるため、外部から見るとレンズ４１の周囲も赤く光ったように見える。
【００２４】
図６は、図３に示す発光体１が用いられた灯器６１の正面図であり、図７はその概略縦断面図である。レンズ４１−１は赤色のレンズの上に透明レンズが重ねられ、レンズ４１−２は青色のレンズの上に透明レンズが重ねられる。図６、図７に示すように灯器６１の内部にはケーシング４３−１、４３−２が設けられ、ケーシング４３−１、４３−２の前方にレンズ４１−１、４１−２が設けられる。
【００２５】
そしてケーシング４３−１の内部には図１及び図２に示す発光体１が設置される。即ち、第２発光ダイオード群１７のみが赤色で点灯し、他の第１発光ダイオード群１５、第３発光ダイオード群１９、第４発光ダイオード群２１、第５発光ダイオード群２３は白色で点灯する。
【００２６】
このように本実施の形態によれば、ケーシング４３−１内に設置される発光体１の第２発光ダイオード群１７のみを赤色で点灯し、第１発光ダイオード群１５、第３発光ダイオード群１９、第４発光ダイオード群２１、第５発光ダイオード群２３は白色で点灯するようにしたので、発光体１を点灯させた場合、レンズ４１−１の周辺部分も明るく光ったように見え、レンズ４１−１の人形４２ｂ並びに周辺部４２ａの全面が明るく点灯する。
【００２７】
尚、本発明は、前述した実施形態に限定されるものではなく、種々の変形が可能であり、例えば第２発光ダイオード群１７と第３発光ダイオード群１９を赤色で点灯するようにしてもよい。
【００２８】
又、発光体１では、側部に第２発光ダイオード群１７、第３発光ダイオード群１９、第４発光ダイオード群２１、第５発光ダイオード群２３と４段の発光ダイオード群を設けたが、４段に限定されず、例えば５段にしても良い。
【００２９】
又、前述した実施の形態では、周辺部４２ａが赤色で発光体１の第２発光ダイオード群１７も赤色にしたが、レンズ４１−２に示すように、周辺部が青色の場合、発光体１の第２発光ダイオード群１７を青色にしても同様の効果を奏する。更に、発光体１自体の構成は、図１、図２に示されるもの以外に、本出願人が既に出願したフレキシブル基板を用いたものでも良い（特願平１１−２９５９０６）。
【００３０】
【発明の効果】
このように、本実施の形態によれば、レンズ全面が明るく点灯する発光体及び灯器を提供することができる。更に、灯器は、赤色点灯時と青色点灯時ともに白抜きで人形が表示され、それらは良好な視認性を保つことができる。
【図面の簡単な説明】
【図１】発光体１の斜視図
【図２】発光体１の縦断面図
【図３】発光体１を用いた灯器の構成図
【図４】レンズ４１の正面図
【図５】信号灯５１の断面図
【図６】灯器６１の正面図
【図７】灯器６１の断面図
【図８】可視光線の波長範囲と視感度特性を示す図
【図９】各種光源の分光分布図
【図１０】各種光源の発光スペクトル特性を示す図
【符号の説明】
１………発光体
３………支柱
５………第１基板
７………第２基板
９………第３基板
１１………第４基板
１３………第５基板
１５………第１発光ダイオード群
１７………第２発光ダイオード群
１９………第３発光ダイオード群
２１………第４発光ダイオード群
２３………第５発光ダイオード群
２５………アルミプレート
２８………受け部
２９………電気回路板
３１………プラグ
４１………レンズ
４３………ケーシング
４４………開口部
４５………反射板
５１………信号灯
６１………歩行者用灯器
【図１】
0003574614.tif 000002
【図２】
0003574614.tif 000003
【図３】
0003574614.tif 000004
【図４】
0003574614.tif 000005
【図５】
0003574614.tif 000006
【図６】
0003574614.tif 000007
【図７】
0003574614.tif 000008
【図８】
0003574614.tif 000009
【図９】
0003574614.tif 000010
【図１０】
0003574614.tif 000011